(57)【要約】【課題】本発明は、部分的にやわらかさや触感が異なる発泡樹脂製玩具およびその製造方法を提供することを目的としている。【解決手段】本発明にかかる発泡樹脂製玩具１００の代表的な構成は、ひとつの面の全部または一部が自由に膨出した形状（自然膨張面１２４）をしていて、残りの面が型に規定された形状（規定面１２２）をしていることを特徴とする。自然膨張面１２４は、規定面１２２よりも自由に膨張するため、スキンが薄くなってやわらかくなり、異なる触感を得ることができる。【選択図】図１
2020114275.tif 000002
【特許請求の範囲】
【請求項１】
ひとつの面の全部または一部が自由に膨出した形状をしていて、残りの面が型に規定された形状をしていることを特徴とする発泡樹脂製玩具。
【請求項２】
切断面において、型に規定された面よりも膨出した面のスキンが薄いことを特徴とする請求項２に記載の発泡樹脂製玩具。
【請求項３】
発泡樹脂を、上面の全部または一部を開放した型の中で発泡、硬化させて成形することを特徴とする発泡樹脂製玩具の製造方法。
【発明の詳細な説明】
【技術分野】
【０００１】
本発明は部分的にやわらかさや触感が異なる発泡樹脂製玩具およびその製造方法に関する。
【背景技術】
【０００２】
従来から、低反発性ポリウレタンフォームや、シリコン系重合体を基材とする発泡樹脂製の玩具が提供されている。特許文献１には、シリコン系重合体を基材樹脂とする発泡樹脂成形体が提案されている。特許文献１によれば、この発泡樹脂成形体は良好な触感、とりわけもちもち感があり、例えばキーホルダーやぬいぐるみなどに利用できると説明されている。
【先行技術文献】
【特許文献】
【０００３】
【特許文献１】特開２０１０−１００７６９号公報
【発明の概要】
【発明が解決しようとする課題】
【０００４】
特許文献１は、「もちもち感」を物理的に評価する手法を提案すると共に、具体的な材質としてはシリコン系重合体を基材樹脂とすることを提案している。
【０００５】
しかしながら特許文献１においては、全体が一様に「もちもち感」を有することを前提としている。発泡樹脂で一体成形した１つの玩具において、部位によりやわらかさや触感を変えることができれば、一風変わった触り心地の玩具を提供することができる。特に、その玩具が模した物体の形状と触感の異なりを一致させれば、より模倣性を高めたり趣向を凝らすことができ、玩具の面白みを増すことができる。
【０００６】
そこで本発明は、部分的にやわらかさや触感が異なる発泡樹脂製玩具およびその製造方法を提供することを目的としている。
【課題を解決するための手段】
【０００７】
本発明にかかる発泡樹脂製玩具の代表的な構成は、ひとつの面の全部または一部が自由に膨出した形状をしていて、残りの面が型に規定された形状をしていることを特徴とする。なお「ひとつの面」とは、製造時には上方の面である。しかし製造時の姿勢は完成品の天地とは関係ないため、完成品の上面のみならず、前面や側面、背面、ないしは底面が自由に膨出した形状となっていてもよい。
【０００８】
上記の発泡樹脂製玩具は、切断面において、型に規定された面よりも膨出した面のスキンが薄いことが好ましい。
【０００９】
自由に膨出した形状ないし自由に膨出した面とは、換言すれば型に押さえられずに膨張した面であり、型の形状を転写されていない面である。このような自由に膨出した面は、型に規定された面よりも内部の多孔質の気泡が大きくなり、密度が疎となる。このため切断面において、型に規定された面よりも自由に膨出した面のスキンが薄くなり、異なる触感を得ることができる。
【００１０】
本発明にかかる発泡樹脂製玩具の製造方法の代表的な構成は、上面の全部または一部を開放した型の中で発泡、硬化させて成形することを特徴とする。これにより、上述のような発泡樹脂製玩具を製造することが可能となる。
【発明の効果】
【００１１】
本発明によれば、部分的にやわらかさや触感が異なる発泡樹脂製玩具およびその製造方法を提供することができる。
【図面の簡単な説明】
【００１２】
【図１】ひとつの面の全部が膨出した発泡樹脂製玩具を説明する図である。
【図２】発泡樹脂製玩具の製造方法を説明する図である。
【図３】発泡樹脂の断面の例を示す図である。
【図４】ひとつの面の一部が膨出した発泡樹脂製玩具、およびその製造方法を説明する図である。
【発明を実施するための形態】
【００１３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示または説明を省略する。
【００１４】
図１はひとつの面の全部が膨出した発泡樹脂製玩具１００を説明する図である。図１（ａ）に示す発泡樹脂製玩具１００はカップケーキを模した玩具であって、カップケーキの型１１０の中に発泡樹脂１２０が収容された状態となっている。型１１０は上面の全部が開放されている。型１１０は紙製であってもよいが、金属製であってもよい。
【００１５】
図１（ｂ）は発泡樹脂１２０を型１１０から取り出した状態を示している。図１（ｂ）に示すように、発泡樹脂１２０は、ひとつの面の全部が自由に膨出した形状をしていて、残りの面が型に規定された形状をしている。以下の説明において、型に規定された面を規定面１２２と称し、膨出した面を自然膨張面１２４と称する。
【００１６】
図２は発泡樹脂製玩具１００の製造方法を説明する図である。図２（ａ）に示すように、射出装置のノズル１４０から型１１０内に発泡樹脂１２０の材料となる混合液１３０を注入する。混合液１３０は、例えば発泡ポリウレタンの場合は主剤（主にポリオールやポリアミン）と硬化剤（主にイソシアネート）の混合液である。これらはノズル１４０内で噴射直前に混合される。
【００１７】
すると図２（ｂ）に示すように、型１１０の中で混合液１３０が発泡し、発泡樹脂１２０が形成される。型１１０に接触している部分は、規定面１２２となる。型１１０に接触しない部分は自由に膨張して、自然膨張面１２４となる。このあと８０度のオーブンで加熱することにより硬化して安定する。なお自然膨張面１２４の形状は不安定になりがちであるため、注入する混合液１３０の容量の制御は注意を要する。
【００１８】
上記のようにして、ひとつの面の全部が自由に膨出した形状をしていて、残りの面が型に規定された形状をしている発泡樹脂製玩具が製造される。自由に膨出した形状ないし自由に膨出した面とは、換言すれば型に押さえられずに膨張した面であり、型の形状を転写されていない面である。このような自由に膨出した面は、型に規定された面よりも内部の多孔質の気泡が大きくなり、密度が疎となる。
【００１９】
図３は発泡樹脂１２０の断面の例を示す図（写真）である。規定面１２２も自然膨張面１２４も表層にはスキンが形成される。ただし、型１１０に接触していた規定面１２２においては、気泡が緻密なスキンが厚く形成される。一方、型１１０に接触していなかった自然膨張面１２４のスキンは薄く形成される。自然膨張面１２４は規定面１２２よりもやわらかく、異なる触感を得ることができる。規定面１２２は固くさらさらとしており、自然膨張面１２４はやわらかくもちもちとしている。
【００２０】
上記説明においては、型１１０のひとつの面の全部が自然膨張面１２４となっている場合について説明した。本発明は更に、ひとつの面の一部のみ自然膨張面１２４となっていてもよい。
【００２１】
図４はひとつの面の一部が自由に膨出した発泡樹脂製玩具、およびその製造方法を説明する図である。図４（ａ）に示す金型１５０は食パンを模した玩具の型であって、下型１５２と上型１５４から構成されている。上型１５４には穴１５６が設けられていて、上面の一部（穴１５６の部分）が開放されている。
【００２２】
図４（ｂ）は、図４（ａ）の金型１５０の中で発泡、硬化させて成形した発泡樹脂製玩具２００である。発泡樹脂製玩具２００は、食パンの全体形状を模した規定面２０２と、穴１５６の中に膨出した自然膨張面２０４とを有している。なお図４（ｂ）において、自然膨張面２０４にはハッチングを付して示している。この発泡樹脂製玩具２００においては、規定面２０２は固くさらさらとしており、自然膨張面２０４はやわらかくもちもちとしている。
【００２３】
上記説明したように、本発明によれば、発泡樹脂製玩具において部分的にやわらかさや触感を異ならせることにより、一風変わった触り心地の玩具を提供することができる。特に、その玩具が模した物体の形状と触感の異なりを一致させれば、より模倣性を高めたり趣向を凝らすことができ、玩具の面白みを増すことができる。
【００２４】
なお、図４では穴１５６を１つだけ設けて示しているが、複数の穴を設けてもよい。また上記したように、製造時は上方に穴を設ける必要があるが、完成品においては自然膨張面２０４のある面が前面や側面、背面、ないしは底面であってもよい。
【００２５】
以上、添付図面を参照しながら本発明の好適な実施例について説明したが、本発明は斯かる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００２６】
本発明は部分的にやわらかさや触感が異なる発泡樹脂製玩具およびその製造方法として利用することができる。
【符号の説明】
【００２７】
１００…発泡樹脂製玩具、１１０…型、１２０…発泡樹脂、１２２…規定面、１２４…自然膨張面、１３０…混合液、１４０…ノズル、１５０…金型、１５２…下型、１５４…上型、１５６…穴、２００…発泡樹脂製玩具、２０２…規定面、２０４…自然膨張面
【図１】
2020114275.tif 000003
【図２】
2020114275.tif 000004
【図３】
2020114275.tif 000005
【図４】
2020114275.tif 000006